(57)【要約】【課題】  容器の使用後に、蓋体を開蓋し、上蓋を一方向へ引っ張り上げるだけで簡単にキャップ本体を容器の口部から除去することができる分別キャップを提供すること。【解決手段】  容器の口部に装着するキャップ本体と、該キャップ本体に装着する蓋体と、からなる分別キャップであって、キャップ本体は、内筒および外筒からなる容器嵌着部と、容器内の内容液を注出する注出部と、を具え、外筒の内周面下端部は、容器の口部の嵌合突条と係合する係合突条を形成し、外筒の外周面に凹所を形成し、凹所に押圧部を形成し、押圧部の下方に外側に屈曲可能なくびれ部を形成し、蓋体は、キャップ本体に嵌着する下蓋と、下蓋とヒンジを介して連結する上蓋と、を具え、下蓋は、ヒンジの下方に、開口部を形成し、開口部に支点片を介して揺動爪を連結し、揺動爪は、下方部が押圧部に当接したときに揺動して凹所と係合することを特徴とする構成を採用する。【選択図】  図１２
2015127228.tif 000002
【特許請求の範囲】
【請求項１】
容器の口部に装着するキャップ本体と、該キャップ本体に装着する蓋体と、からなる分別キャップであって、
キャップ本体は、内筒および外筒からなる容器嵌着部と、容器内の内容液を注出する注出部と、を具え、
外筒の内周面下端部は、容器の口部の嵌合突条と係合する係合突条を形成し、
外筒の外周面に凹所を形成し、凹所に押圧部を形成し、押圧部の下方に外側に屈曲可能なくびれ部を形成し、
蓋体は、キャップ本体に嵌着する下蓋と、下蓋とヒンジを介して連結する上蓋と、を具え、
下蓋は、ヒンジの下方に、開口部を形成し、開口部に支点片を介して揺動爪を連結し、
揺動爪は、下方部が押圧部に当接したときに揺動して凹所と係合することを特徴とする分別キャップ。
【請求項２】
揺動爪は、内周面下方に凸部を形成するとともに、上端内側に爪部を形成することを特徴とする請求項１記載の分別キャップ。
【請求項３】
押圧部は、凹所の周方向に傾斜をつけた凸片であることを特徴とする請求項１または２記載の分別キャップ。
【請求項４】
くびれ部は、外筒の係合突条の直上に位置することを特徴とする請求項１〜３のいずれか記載の分別キャップ
【発明の詳細な説明】
【技術分野】
【０００１】
本発明は、容器の口部に装着されるキャップに関し、とくに、容器の使用後に簡単に分別廃棄できる分別キャップに関するものである。
【背景技術】
【０００２】
従来、ドレッシングや調味料などの内容物を収容する容器は、使用後にキャップと容器とを分別して廃棄する必要がある。
そのため、使用後の容器からキャップを容易に分別できる分別キャップが市場に流通している。
【０００３】
このような分別キャップとして、例えば、特許文献１記載の注出キャップが知られている。
特許文献１の注出キャップは、頂部に注出口8を有し、壜体口筒３０に外嵌する組付き筒２の略下半分を、壜体口筒３０にアンダーカット結合する複数の係合片３に分割形成すると共に、組付き筒２の外方に、一対の縦弱化線１５を設けた外リング１３を、嵌入部１４を介して連結した、比較的軟質な易破断性合成樹脂製のキャップ本体１と、嵌入部１４に不動に嵌入される締付けリング２１の後部上端に、注出口８を開閉する上蓋２５をヒンジ２４で連結した、比較的硬質な合成樹脂製の蓋体２０と、から構成している。
そして、使用後に、上蓋２５の引張り操作により、外リング１３を破断し、キャップ全体を壜体口筒３０から取外すものである。
【先行技術文献】
【特許文献】
【０００４】
【特許文献１】特開２００２−３６２６０４号公報
【発明の概要】
【発明が解決しようとする課題】
【０００５】
しかしながら、上記特許文献１記載の注出キャップは、キャップ本体1を低密度ポリエチレンなどの比較的軟質な易破断性合成樹脂製とし、蓋体をポリプロピレンなどの比較的硬質な合成樹脂製としており、異なる合成樹脂を調達する必要があるという問題があった。
また、注出キャップの分別取外しは、最初に上蓋を後方から下方へ引っ張って、キャップ本体の外リングに形成した一対の弱化線を破断し、次いで上蓋を引き上げることにより、蓋体とキャップ本体とが一体となって、壜体口筒から容易に離脱するというものであり、２方向に順に引っ張る必要があり、分別取り外しが面倒であるという問題があった。
【０００６】
本発明は、上記問題を解決することを課題とし、キャップ本体と蓋体の材質を変える必要がなく、容器の使用後は、蓋体を開蓋し、上蓋を一方向へ引っ張り上げるだけで簡単にキャップ本体を容器の口部から除去することができる分別キャップを提供することを目的とする。
【課題を解決するための手段】
【０００７】
本発明は、上記の課題を解決するため、分別キャップとして、容器の口部に装着するキャップ本体と、該キャップ本体に装着する蓋体と、からなる分別キャップであって、キャップ本体は、内筒および外筒からなる容器嵌着部と、容器内の内容液を注出する注出部と、を具え、外筒の内周面下端部は、容器の口部の嵌合突条と係合する係合突条を形成し、外筒の外周面に凹所を形成し、凹所に押圧部を形成し、押圧部の下方に外側に屈曲可能なくびれ部を形成し、蓋体は、キャップ本体に嵌着する下蓋と、下蓋とヒンジを介して連結する上蓋と、を具え、下蓋は、ヒンジの下方に、開口部を形成し、開口部に支点片を介して揺動爪を連結し、揺動爪は、下方部が押圧部に当接したときに揺動して凹所と係合することを特徴とする構成を採用する。
【０００８】
本発明の分別キャップの実施形態として、揺動爪は、内周面下方に凸部を形成するとともに、上端内側に爪部を形成することを特徴とする構成を採用し、また、分別キャップの具体的実施形態として、押圧部は、凹所の周方向に傾斜をつけた凸片であることを特徴とする構成を採用する。
【０００９】
さらに、くびれ部は、外筒の係合突条の直上に位置することを特徴とする構成を採用する。
【発明の効果】
【００１０】
本発明の分別キャップは、外筒の外周面に凹所を形成し、凹所に押圧部を形成し、押圧部の下方に外側に屈曲可能なくびれ部を形成するとともに、下蓋のヒンジの下方に、開口部を形成し、開口部に支点片を介して揺動爪を連結し、揺動爪は、下方部が押圧部に当接したときに揺動して凹所と係合するようにしたことにより、容器の使用後は、蓋体を開蓋し、上蓋を一方向へ引っ張り上げるだけで簡単にキャップ本体を容器の口部から除去することができる。
【００１１】
さらに、本発明の分別キャップは、外筒のくびれ部を容器の口部の嵌合突条と係合する係合突条の直上に位置するようにしたことにより、上蓋を引き上げるだけで、リング壁が持ち上がり、外筒を抑えることができなくなり、外筒の係合突条がくびれ部で外側に屈曲変形するから、容器の口部と外筒の係合突条との嵌合力を失い、従来のように、キャップ本体と蓋体の材質を変えることなく、キャップの分別廃棄をすることができる。
【図面の簡単な説明】
【００１２】
【図１】本発明の第１実施例である分別キャップとしてのヒンジキャップを示す図であり、（ａ）は側断面図であり、（ｂ）はＸ１−Ｘ１における矢視断面図である。
【図２】開封前のヒンジキャップを示す図であり、（ａ）は側面図であり、（ｂ）は図１（ａ）のＸ２−Ｘ２における矢視断面図である。
【図３】キャップ本体を示す図であり、（ａ）は上面図、（ｂ）は側断面図である。
【図４】キャップ本体を示す図であり、（ａ）は側面図であり、（ｂ）は背面図である。
【図５】蓋体を示す図であり、（ａ）は側断面図であり、（ｂ）はＸ３−Ｘ３における矢視断面図である。
【図６】蓋体を示す図であり、（ａ）は側面図であり、（ｂ）は図１（ａ）のＸ４−Ｘ４における矢視断面図である。
【図７】蓋体を示す図であり、（ａ）は正面図であり、（ｂ）は背面図である。
【図８】蓋体を３５度回転させて封緘バンドを捲り上げるとともに、栓体を切り取る態様を示す図であり、（ａ）は側断面図であり、（ｂ）はＸ５−Ｘ５における矢視断面図ある。
【図９】蓋体を７０度回転させて封緘バンドを捲り上げるとともに、栓体を切り取る態様を示す図であり、（ａ）は側断面図であり、（ｂ）はＸ６−Ｘ６における矢視断面図ある。
【図１０】図９（ａ）のＸ７−Ｘ７における矢視断面図ある。
【図１１】ヒンジキャップの封緘バンドを除去した状態を示す図であり、（ａ）は側面図であり、（ｂ）は開蓋状態を示す側断面図である。
【図１２】ヒンジキャップの分別廃棄の態様を示す図であり、（ａ）は引き上げ前の拡大図であり、（ｂ）は引き上げ途中の拡大図であり、（ｃ）は引き上げ末期の拡大図である。
【発明を実施するための形態】
【００１３】
次に、本発明の分別キャップをヒンジキャップとしたものについて、実施例に示した図面を参照して説明する。
【実施例１】
【００１４】
図１および２において、Ａは容器の口部１に嵌着するキャップ本体、Ｂはキャップ本体Ａに装着する蓋体である。
なお、以下の説明では、ヒンジＤと反対側の注出側を「正面」、ヒンジＤの側を「背面」とする。
【００１５】
容器は、上端に口部１を具え、口部１の外周面には、嵌合突条２を形成している。
キャップ本体Ａは、容器の口部１に装着する容器嵌着部３と、容器嵌着部３に連設し、容器内の内容液を注出する注出部４と、容器嵌着部３の外周に蓋体Ｂを装着する蓋体装着部５とから構成されている。
容器嵌着部３は、周縁部に係止突条を設けた蓋係止部６を立設した環状の基壁７と、基壁７の内周縁から垂設した内筒８と、基壁７の外周縁から垂設した外筒９とから構成されている。
外筒９の内周面下端部には、容器の口部１の嵌合突条２と係合する係合突条１０を形成している。
【００１６】
注出部４は、上壁１１の内縁部から立設する注出筒１２と、注出筒１２の内周１２ａ近傍に形成する破断可能な薄肉の弱化部１３により注出口Ｆを開口する円盤状の栓体１４とから構成されている。
栓体１４は、上部中央に筒状壁１５を立設し、筒状壁１５の上端部内周には、嵌合凸条１６を形成するとともに、筒状壁１５の外周面１５ａには、縦方向に４本の外歯１７を形成している。
なお、本実施例では、外歯１７の数を４本としているが、これよりも少ない本数でも、多い本数でも構わない。
【００１７】
蓋体装着部５は、図３および４に示すように、外筒９の外周面下端から上方に所定距離隔てた外筒９の外周面に抜け止め凸条１９を形成し、抜け止め凸条１９の上方には、凹部２０を挟んで登り勾配の傾斜と下り勾配の傾斜がついた一対の回転止めリブ２１，２１を１８０度の角度を隔てて形成している。
なお、回転止めリブ２１，２１は、２箇所形成しているが、回転止めリブ２１，２１は、少なくとも一箇所形成してあればよい。
さらに、外筒９の外周面上方には、ヒンジＤに近接する背面側に、後述する蓋体Ｂのリング壁２５に開口する開封窓部２６に嵌入する開封部材２２を周方向に突設している。
なお、開封窓部１６は、リング壁２５（下蓋側）に設けられているが、上蓋側に設けられていてもよい。
開封部材２２は、その形状を図３（ａ）に示すように、周方向に円弧状の傾斜をつけて形成している。
なお、開封部材２２は、突状部であればよく、後述する封緘バンドＧの弱化部を破断できる形状であればどのようなものでもよい。
【００１８】
図５〜７に示すように、蓋体Ｂは、下蓋Ｃと、封緘バンドＧを介して背面を除き下蓋Ｃと接続する上蓋とから構成されており、封緘バンドＧに隣接して上述した開封部材２２が嵌入する開封窓部２６を開口している。
また、下蓋Ｃの背面と上蓋Ｅの背面は、ヒンジＤを介して回動自在に連結している。
下蓋Ｃは、キャップ本体Ａの蓋体装着部５の周囲に装着する筒状のリング壁２５を具え、リング壁２５の背面上端にヒンジＤを形成している。
さらに、リング壁２５の下端部２５ａの内周側に、抜け止め凸条１９の下端と係合する摺接凸条２７を形成している。
【００１９】
図６および７に示すように、リング壁２５の上端は、後述する封緘バンドＧの形状に合わせて開封窓部２６の下端からヒンジ部Ｄの他端側に向けて周方向に直線状に形成するとともに、封緘バンドＧの下端辺２８との接続部は、切り裂き可能な薄肉状の弱化部２９とされている。
なお、弱化部２９は、全体が薄肉でも連結片を介して接続されていてもよく、また、弱化部２９には、封緘バンドＧの当接端部３０から所定の長さだけ切り込み３１を形成するのが好ましいが、切り込み３１は、必要に応じて形成すればよい。
さらに、前述したキャップ本体Ａの回転止めリブ２１，２１に嵌り込むように、リング壁２５の内周面には、縦方向の乗り越えリブ３２を形成しており、乗り越えリブ３２は、回転止めリブ２１，２１と対応する個数設けていればよい。
【００２０】
図５（ａ）に示すように、上蓋Ｅは、平坦に形成した頂壁３３と、その周縁に垂設した外周壁３４とから構成されており、頂壁３３の裏面中央から先端部に嵌合部３６を形成した嵌入ボス部３５を垂設している。
嵌入ボス部３５の外側には、閉蓋時に注出筒１２の内周１２ａを密封する筒状の密封リング３７を垂設し、密封リング３７の内周面には、縦方向に４本の内歯３８を形成している。
さらに、密封リング３７の外側には、係止筒壁３９を垂設し、係止筒壁３９の先端に形成した係止凸部４０は、前述したキャップ本体Ａの環状の蓋係止部６に係止するようになっている。
なお、本実施例においては、上蓋Ｅは、頂壁３３を平坦にしたものを例示しているが、ドーム型をしているものなど、その形状について限定するものではない。
また、本実施例においては、内歯３８の数を４本としているが、前述した外歯１７の数と同様に、これよりも少ない本数でも、多い本数でも構わない。
【００２１】
外周壁３４の正面には、図７（ａ）に示すように、封緘バンドＧを引き裂いた際に、矩形状の窓部４２が形成されるように、封緘バンドＧの上端辺４３は、その幅が広幅になるように形成している。
外周壁３４と封緘バンドＧの上端辺４３との接続部は、切り裂き可能な薄肉状の弱化部４４とされている。
なお、弱化部４４は、全体が薄肉でも連結片を介して接続されていてもよく、また、弱化部４４は、上述の弱化部２９と同様に、封緘バンドＧの当接端部３０から所定の長さだけ切り込み４５を形成するのが好ましいが、切り込み４５は、必要に応じて形成すればよい。
【００２２】
さらに、本実施例の特徴は、容器を使用後、ヒンジキャップを分別廃棄するための構成を有することである。
図４に示すように、キャップ本体Ａの外筒９は、その外周面に、開封部材２２よりも周方向背面寄りに所定深さの凹所４７を形成し、凹所４７には、周方向に傾斜がついた凸片からなる押圧部４８を形成し、押圧部４８の下方を薄肉にして外側に屈曲可能なくびれ部４９を形成し、くびれ部４９の下方を外筒９の外周面と面一にした下端部５０を形成している。
また、図７（ｂ）に示すように、下蓋Ｃのリング壁２５は、そのヒンジＤの下方に、矩形の開口部５１を形成し、開口部５１は、その周囲から所定の間隙で同じ形状の揺動爪５２を支点片５３を介して連結している。
図５（ａ）に示すように、揺動爪５２は、その内周面下方に凸部５２ａを形成し、上端内側に爪部５２ｂを形成している。
【００２３】
次に、本実施例の使用態様と作用効果について説明する。
本実施例のヒンジキャップは、図１（ａ）に示すように、キャップ本体Ａに蓋体Ｂを装着した後、内容液が充填された容器の口部１に打栓して装着する。
そのため、図１（ｂ）および２（ａ）に示すように、キャップ本体Ａの外筒９の外周面に形成される開封部材２２の位置に、蓋体Ｂに開口した開封窓部２６を合わせて、蓋体Ｂをキャップ本体Ａの上方から押し込むと、図１に示すように、開封部材２２は、蓋体Ｂの開封窓部２６下方部分を変形させることにより開封窓部２６内に嵌入するとともに、下蓋Ｃのリング壁２５は、その内周下端の摺接凸条２７が、キャップ本体Ａの外筒９外周面に形成した抜け止め凸条１９を乗り越えて互いに係合し、ヒンジキャップの組み付けが完了する。
【００２４】
打栓工程は、容器嵌着部３の内筒８と外筒９との間に形成された環状溝部に容器の口部１を当てがい、上蓋Ｅの上から押圧力を加えることにより、外筒９の係合突条１０は、口部１の嵌合突条２を乗り越えて嵌合し、容器の口部１を、内筒８の外周と外筒９の内周および基壁７とによって挟持することで嵌着する。
【００２５】
本実施例のヒンジキャップを開封および抜栓するには、図１（ｂ）に示す静止状態から、反時計回り（矢印方向）に蓋体Ｂをゆっくり回転すると、封緘バンドＧは、その当接端部３０が開封部材２２の円弧状の傾斜に徐々に押し付けられることにより、外方への力がはたらき、切り込み３１、４５を起点として弱化部２９、４４を切り裂き始める。
なお、本実施例では、切り込み３１、４５を設けているが、切り込み３１、４５を設けていなくても容易に切り裂き可能である。
図１（ｂ）に示す静止状態から、蓋体Ｂを矢印方向に約４０度回転すると、図８に示すように、上蓋Ｅに形成した内歯３８は、キャップ本体Ａの栓体１４に形成した外歯１７と衝当する状態になるが、この回転角度は、約２５〜５０度が好ましく、必要に応じて適宜選択できる。
同時に、封緘バンドＧもその当接端部３０が捲れ上がり始める。
さらに、蓋体Ｃを約８０度まで回転すると、図１０に示すように、下蓋Ｃの乗り越えリブ３２は、キャップ本体Ａの回り止めリブ２１の傾斜面を経て凹部２０に嵌入し、それ以上回転できなくなる。
これと同じタイミングで、図９に示すように、キャップ本体Ａの栓体１４が回転することにより薄肉状の弱化部１３が破断し、キャップ本体Ａから栓体１４を切り離すことにより、抜栓し、注出口Ｆを開口する。同時に、封緘バンドＧもさらに捲り上がる。
なお、本実施例では、上蓋Ｅに形成した内歯と栓体に形成した外歯によってキャップ本体Ａから栓体１４を切り離しているが、これに限らず、ラチェット機構やローレット機構などによって栓体を破断させることもできる。
なお、本実施例では、蓋体Ｂは、約８０度回転して停止するようにしたが、その回転角度は、約５０〜９０度が好ましく、必要に応じて適宜選択できる。
また、下蓋Ｃのリング壁２５背面に形成した揺動爪５２は、蓋体Ｂの回転前には、図１（ａ）に示すように、凸部５２ａがキャップ本体Ａの外筒９の凹所４７に収容されているが、蓋体Ｂを矢印の方向に回転すると、凸部５２ａが図４に示す外筒９の押圧部４８に当接することにより、図１１（ｂ）に示すように、揺動爪５２は、支点片５３を中心に爪部５２ｂが内方に傾くように揺動し、爪部５２ｂが凹所４７に当接するようになる。
【００２６】
つぎに、封緘バンドＧの捲り上がった部分を掴み、弱化部２９、４４に沿って引き裂くことにより、封緘バンドＧの終端部４６まで行き着き、蓋体Ｂから封緘バンドＧを完全に取り除くことができ、図１１（ａ）に示すように、蓋体Ｂは、窓部４２が開放された状態となる。
蓋体Ｂから封緘バンドＧを取り除くと、図１１（ｂ）に示すように、それまで開閉不能であった下蓋Ｃと上蓋Ｅとは、ヒンジＤを介して開閉可能な状態になる。
【００２７】
その後、図１１（ａ）に示す上蓋Ｅ正面の窓部４２（鍔部）を持ち上げると、図１１（ｂ）に示すように、係止筒壁３９の係止凸部４０とキャップ本体Ａの蓋係止部６外周との嵌合が外れることにより、ヒンジＤを介して上蓋Ｅが回動し、下蓋Ｃから上蓋Ｅが開蓋される。
その際に、上蓋Ｅの嵌入ボス部３５は、キャップ本体Ａから切り離された栓体１４に嵌入したまま、脱落しないように保持する。
上蓋Ｅを開いた後、容器を正面側に傾けるか、または、容器の胴部が押圧変形可能なものであれば、容器を押圧変形することによって、容器内の内容液を注出筒１２を介して注出することができる。
【００２８】
キャップ本体Ａに注出口Ｆが開口された後は、上蓋Ｅを閉蓋すると、係止筒壁３９の係止凹部４０とキャップ本体Ａの蓋係止部６外周とが嵌合して上蓋Ｅを閉蓋状態に維持することができる。
その際、キャップ本体Ａの注出筒１２の内周１２ａに、上蓋Ｅの密封リング３７の外周が密接し、注出筒１２より内方を密封することができる。
【００２９】
さらに、本実施例では、蓋体Ｂは、封緘バンドＧを介して下蓋Ｃと上蓋Ｅを接続して封止することにより、封緘バンドＧを取り除かない限り蓋体Ｂを開封することは不可能であり、封緘バンドＧを取り除けば、蓋体Ｂが開封されたことを一目で確認することができる。
また、封緘バンドＧを取り除こうとすれば、蓋体Ｂを回転せざるを得ないため、蓋体Ｂをわずかでも回転すると、封緘バンドＧの両側部に形成された弱化部２９、４４が当接端部３０付近で引き裂かれて捲り上がることになる。
このように、本実施例のヒンジキャップを不正に開けようとすると、封緘バンドＧの両側部に形成された弱化部２９、４４の一部が切断されることにより封緘バンドＧが捲れ上がるので、開封しようとしたことが一目見てわかり、効果的である。
なお、本実施例では、下蓋と上蓋とをヒンジキャップで連結したヒンジキャップとしたが、上蓋は、ネジキャップであってもよい。
【００３０】
つぎに、容器を使用後、本実施例のキャップを分別廃棄する態様について説明する。
まず、図１１（ｂ）に示すように、本実施例のヒンジキャップを開蓋し、上蓋Ｅを把持し上方に引っ張ると、ヒンジＤを介して連結した下蓋Ｃは、図１２（ａ）に示す状態から上方に引き上げられ、図１２（ｂ）に示すように、揺動爪５２の爪部５２ｂがキャップ本体Ａの外筒９外周面に形成した凹所４７の上端面に当接する。
この時点で、下蓋Ｃのリング壁２５が持ち上がり、外筒９を抑えることができなくなり、外筒９の係合突条１０が外側に屈曲変形を開始する。
【００３１】
さらに、そのまま上蓋Ｅを引き上げ続けると、図１２（ｃ）に示すように、下蓋Ｃのリング壁２５の上昇によりキャップ本体Ａの外筒９も一緒に上昇を開始する。
すると、外筒９の係合突条１０は、容器口部１の嵌合突条２に当接することにより、下端部５０がくびれ部４９により外側に屈曲変形して嵌合力を失い、嵌合突条２を乗り越えるようになる。
その結果、キャップ本体Ａの外筒９は、容器の口部１から外れることになり、そのまま上蓋Ｅを引き上げ続けると、キャップ本体Ａの他の部分も容器の口部１から外れて、容器とヒンジキャップを容易に分別廃棄できる。
【産業上の利用可能性】
【００３２】
本発明の分別キャップは、容器の使用後、蓋体を開蓋し、上蓋を一方向へ引っ張り上げるだけで簡単にキャップ本体を容器の口部から除去することができ、容易に容器とキャップを分別廃棄できるから、各種液体注出容器の口部に装着するキャップとして広く使用することができる。
【符号の説明】
【００３３】
Ａ        キャップ本体
Ｂ        蓋体
Ｃ        下蓋
Ｄ        ヒンジ
Ｅ        上蓋
Ｆ        注出口
Ｇ        封緘バンド
１        口部
２        嵌合突条
３        容器嵌着部
４        注出部
５        蓋体装着部
６        蓋係止部
７        基壁
８        内筒
９        外筒
１０        係合突条
１１        上壁
１２        注出筒
１２ａ      内周
１３        弱化部
１４        栓体
１５        筒状壁
１５ａ      外周
１６        嵌合凸条
１７        外歯
１９        抜け止め凸条
２０        凹部
２１        回転止めリブ
２２        開封部材
２５        リング壁
２５ａ      下端部
２６        開封窓部
２７        摺接凸条
２８        下端辺
２９        弱化部
３０        当接端部
３１        切り込み
３２        乗り越えリブ
３３        頂壁
３４        外周壁
３５        嵌入ボス部
３６        嵌合部
３７        密封リング
３８        内歯
３９        係止筒壁
４０        係止凸部
４２        窓部
４３        上端辺
４４        弱化部
４５        切り込み
４６        終端部
４７        凹所
４８        押圧部
４９        くびれ部
５０        下端部
５１        開口部
５２        揺動爪
５２ａ      凸部
５２ｂ      爪部
５３        支点片
【図１】
2015127228.tif 000003
【図２】
2015127228.tif 000004
【図３】
2015127228.tif 000005
【図４】
2015127228.tif 000006
【図５】
2015127228.tif 000007
【図６】
2015127228.tif 000008
【図７】
2015127228.tif 000009
【図８】
2015127228.tif 000010
【図９】
2015127228.tif 000011
【図１０】
2015127228.tif 000012
【図１１】
2015127228.tif 000013
【図１２】
2015127228.tif 000014